(57)【要約】【課題】暖房運転を停止しても送風機を回すようにすれば温度表示を正確にすることは可能であるが、運転を停止してもファンを回すので使用者は停止させたのにまだ動いていると不信に思う。また微量の風速でも室内機の近くにいれば寒さを感じてしまう問題がある。またデフロスト中にも影響を受ける問題がある。特に寒冷地ではデフロスト時間が長くなり、温度表示も長くなった分だけ影響を受け実際の室内温度より低くなってしまうことになる。【解決手段】本発明は、上記課題を解決するために、室内機と室外機を配管で接続しサイクルを構成した空調機において、前記室内機側の温度を検出するために室内温度検出手段を室内機の外郭部又は外部に配置することにある。【選択図】  図１
2010190527.tif 000002
【特許請求の範囲】
【請求項１】
室内機と室外機とを配管で接続しサイクルを構成し、前記室内機側の温度を検出するための室内温度検出手段を、前記室内機の外郭部又は外部に配置したことを特徴とする空気調和機。
【請求項２】
前記室内機内部の熱交換器の空気上流側に設けられた前記室内温度検出手段を、前記室内機の外部又は外部に移動できる手段を備えたことを特徴とする請求項１の空気調和機。
【請求項３】
前記室内温度検出手段は外郭部又は外部に配置するための固定手段を備えていることを特徴とする請求項２の空気調和機。
【発明の詳細な説明】
【技術分野】
【０００１】
本発明は室内温度を検出する機能を備えた空気調和機に関する。
【背景技術】
【０００２】
近年では室内や室外の温度をリモコンや室内機本体に表示できるものがある。その室内温度を検出するために室内温度検出センサーを使用している。室内温度検出センサーは熱の影響を受けない熱交換器の風上に配置されるのが主である。しかしながら暖房運転停止後や温度設定に達し運転を一時停止したときは風が流れないので、熱交換器の熱の影響を受け室内機内部の温度が上昇し正確な室内温度を検知することが難しい。
【０００３】
特開２００１−４１５５３号公報では室内温度検出手段が熱の影響を受けないように暖房運転を停止しても送風機を回すこととしている。
【先行技術文献】
【特許文献】
【０００４】
【特許文献１】特開２００１−４１５５３号公報
【発明の概要】
【発明が解決しようとする課題】
【０００５】
室内温度の表示は使用者が設定温度を決める時や部屋の状態を知る上で重要な役割を果たしているため正確さが要求される。使用者によっては、部屋の中に置いてある温度計と比較する場合もある。
【０００６】
暖房運転を停止しても送風機を回すようにすれば温度表示を正確にすることは可能であるが、運転を停止してもファンを回すので使用者は停止させたのにまだ動いていると不信に思う。また微量の風速でも室内機の近くにいれば寒さを感じてしまう問題がある。
【０００７】
また、暖房運転は室内熱交換器で冷媒の凝縮された熱を利用するが、逆に室外熱交換器は蒸発され吸熱し低温となる。特に寒冷地では室外熱交換器に霜が付くようなる。霜の成長とともに暖房能力がだんだん低下するため、デフロスト制御を行っている。デフロストとは暖房運転を一時停止させ室外熱交換器についた霜を溶かすために、冷房運転、いわゆる逆サイクル運転を行う。圧縮機より圧縮された高圧ガスが室外熱交換器の霜を溶かす。このとき室内熱交換器は逆に蒸発され吸熱し低温となる。よってデフロスト中の室内熱交換器は低温になっているため、送風機は冷風防止のため停止させなくてはならない。温度表示はこのデフロスト中にも影響を受ける問題がある。特に寒冷地ではデフロスト時間が長くなり、温度表示も長くなった分だけ影響を受け実際の室内温度より低くなってしまうことになる。
【課題を解決するための手段】
【０００８】
本発明は、上記課題を解決するために、室内機と室外機を配管で接続しサイクルを構成した空調機において、前記室内機側の温度を検出するための室内温度検出手段を室内機の外郭部又は外部に配置することにある。
【０００９】
また、室内機内部の熱交換器の空気上流側に設けられた室内温度検出手段を室内機の内部若しくは外部又は外郭部に移動できる手段を具備することにある。
【００１０】
また、室内温度検出手段が外郭部又は外部に配置するための固定手段を具備することにある。
【発明の効果】
【００１１】
本発明によれば、暖房運転時の運転停止時や設定温度到達時の一時運転停止時やデフロスト運転時に、室内熱交換器の熱の影響を受けず、温度表示が実室内温度と同じにすることができる。更には寒冷地に暖房機として普及させることが可能となる。
【図面の簡単な説明】
【００１２】
【図１】本発明の実施例におけるサイクル構成図。
【図２】本発明の実施例における室内機の外観図。
【図３】本発明の実施例における室内機断面図。
【図４】本発明の室内温度検出センサー固定部品の外観図。
【発明を実施するための形態】
【００１３】
本発明の実施例について図を用いて説明する。図１は本発明の実施例におけるサイクル構成図である。室内機１４と室外機に分離されており配管で接続しサイクルを構成している。暖房運転の場合、室外機の圧縮機１から吐出された冷媒は四方弁２を通り、接続バルブ７と接続バルブ９を経て室内熱交換器１２に流れる。室内熱交換器１２では、冷媒が高圧ガス状態から高圧液状態になるように送風機１３を回し熱交換を行う。この時の凝縮熱で暖房を行う。次に、冷媒は接続バルブ８と接続バルブ６を通り室外機へと流れていく。高圧液冷媒は減圧器５を通り低圧液冷媒となり室外熱交換器３に流れる。室外熱交換器３では冷媒が低圧液冷媒状態から低圧ガス冷媒状態になるように、送風機４を回し熱交換を行う。そして四方弁２を通り圧縮機１へと戻り、繰り返しサイクルになっている。
【００１４】
ここで室内機１４は室内温度を表示させるために室内温度検出センサー１０を備えており、リード線１５で接続された制御回路１１によって制御される。なお、温度表示はリモコンに表示させることもできる。
【００１５】
従来の室温検出センサーは室内熱交換器の熱の影響を受けないように風上側に設置されているが、本発明では室内機の外部又は外郭部に設置させるようにした。
【００１６】
熱の影響を受けるのは、運転停止した後や設定温度に達した際に圧縮機１を一時停止させることにより送風機１３が止まるため、室内熱交換器１２の熱が室内機１４の中に滞留するためである。
【００１７】
更に暖房運転では、特に寒冷地では室外熱交換器３に霜が付くようになる。霜の成長とともに暖房能力がだんだん低下するためデフロストという制御を行っている。デフロストとは、暖房運転を一時停止させ室外熱交換器３についた霜を溶かすために冷房運転、いわゆる逆サイクル運転を行うものである。圧縮機１より圧縮された高圧ガスが室外熱交換器３の霜を溶かす。このとき室内熱交換器１２は逆に蒸発され吸熱し低温となる。よってデフロスト中の室内熱交換器１２は低温になっているため、送風機１３は冷風防止のため停止させなくてはならない。温度表示はこのデフロスト中にも影響を受ける問題がある。特に寒冷地ではデフロスト時間が長くなり、温度表示も長くなった分だけ影響を受け実際の室内温度より低くなってしまうことになる。
【００１８】
図２は本発明の実施例における室内機の外観図である。他には壁掛けタイプも同様に実施可能である。室内機１４の内部に制御回路１１があり、そこにリード線１５で接続されている室内温度検出センサー１０がある。リード線１５は室内機１４の出口部１６を通り外部へと導かれる。設置場所は状況により熱の影響を受けない場所である。室内機１４の外郭部であれば側面等が最も良い。
【００１９】
図３は本発明の実施例における室内機断面図である。送風経路としては吸込み口１８より室内熱交換器１２手前の風上空間１７及び送風機１３を通り吐出口１９に流れる。
【００２０】
空気調和機を寒冷地以外で使用する場合はデフロスト時の影響を受けづらいので、通常は、室内機１４内部の室内熱交換器１２の風上である風上空間１７に室内温度検出センサー１０を配置させる。寒冷地で使用する場合は空気調和機を据付する時に状況に応じて室内温度検出センサー１０の配置を決める。例えば室内機１４の右側面が部屋の壁である場合は、室内機１４の右側面に室内温度検出センサー１０を配置する。そのために室内温度検出センサー１０を繋ぐリード線１５は予め室内機１４の外側に取り出せるように長めにする。そうすることにより自由に配置場所を変えることができる。
【００２１】
図４は本発明の室内温度検出センサー１０を固定する部品の外観図である。室内温度検出センサー固定部品２０は室内機１４の外郭部や外部に固定できるようになっている部品である。
【符号の説明】
【００２２】
１  圧縮機
２  四方弁
３  室外熱交換器
４，１３  送風機
５  減圧器
６，７，８，９  接続バルブ
１０  室内温度検出センサー
１１  制御回路
１２  室内熱交換器
１４  室内機
１５  リード線
１６  出口部
１７  風上空間
１８  吸込み口
１９  吐出口
２０  室内温度検出センサー固定部品
【図１】
2010190527.tif 000003
【図２】
2010190527.tif 000004
【図３】
2010190527.tif 000005
【図４】
2010190527.tif 000006